(57)【要約】【課題】自動車等の移動体に搭載したテレビ受像機やラジオ受信機において、移動体の移動により映像や音声が著しく低下した瞬間、あるいは一時的に視聴できない状況に至ったときの映像や音声を瞬時に復旧し、ほとんどリアルタイムでの視聴を可能とする移動体向けの地上波放送の放送受信装置を得る。【解決手段】放送信号を受信する受信手段１２と、地上波サーバ１９との通信を行う通信手段１７と、取得したデータを記憶する記憶手段１５とを備える。さらに、前記受信手段による地上波放送信号を正常に視聴できない状態を検出した場合に、該受信手段により正常に視聴できない期間のデータを前記地上波サーバからダウンロードして前記記憶手段に記憶させる記録制御手段１４と、前記記憶手段から読み出したデータを再生する再生手段１１とを備える。【選択図】        図１
2004304498.tif 000002
【特許請求の範囲】
【請求項１】
放送信号を受信する受信手段と、地上波サーバとの通信を行う通信手段と、取得したデータを記憶する記憶手段とを備えた放送受信装置であって、
前記受信手段による地上波放送信号を正常に視聴できない状態を検出した場合に、該受信手段により正常に視聴できない期間のデータを前記地上波サーバからダウンロードして前記記憶手段に記憶させる記録制御手段と、
前記記憶手段から読み出したデータを再生する再生手段とを備えたことを特徴とする放送受信装置。
【請求項２】
請求項１記載の放送受信装置において、
前記受信手段による放送信号の正常な視聴ができない状態にある場合に、所定時間毎に地上波サーバに必要なデータを要求するように構成されていることを特徴とする放送受信装置。
【請求項３】
請求項１記載の放送受信装置において、
前記受信手段による放送信号の正常な視聴ができなくなった後、前記記憶手段に連続する所定量のデータが記憶されたときに、前記再生手段により再生を開始するように構成されていることを特徴とする放送受信装置。
【請求項４】
請求項１記載の放送受信装置において、
前記受信手段による放送信号の正常な視聴ができる状態になった場合に、前記再生手段により前記記憶手段に記憶されたデータの再生を開始するように構成されていることを特徴とする放送受信装置。
【請求項５】
請求項１ないし請求項４のいずれか１項に記載の放送受信装置において、
前記受信手段による放送信号を正常に視聴できない状態とは、前記受信手段による受信状態の悪化であることを特徴する放送受信装置。
【請求項６】
請求項１ないし請求項４のいずれか１項に記載の放送受信装置において、
前記受信手段による放送信号を正常に視聴できない状態には、携帯電話の使用が含まれることを特徴とする放送受信装置。
【請求項７】
請求項１ないし請求項４のいずれか１項に記載の放送受信装置において、
前記受信手段による放送信号を正常に視聴できない状態には、車両の走行である場合が含まれることを特徴する放送受信装置。
【発明の詳細な説明】
【０００１】
【発明の属する技術分野】
本発明は、たとえば地上波デジタル放送を自動車等の移動体において受信するために用いられる放送受信装置に関し、特に自動車等の移動体に搭載して好適な移動体向け地上波放送受信装置に関する。
【０００２】
【従来の技術】
地上波デジタル放送を自動車等の移動体において視聴するための地上波放送受信装置が、従来から種々提案されている。特に、このような移動体上での地上波放送信号を受信は、移動中の種々の要因、たとえば一般道や高速道を走行しているかどうか、市街地や山間地を走行しているかどうか、などの要因によって変化することから、可能な限り安定した受信を行えるようにする対策が講じられている（例えば、特許文献１参照）。
【０００３】
図４は従来から知られている移動体向け地上波デジタル放送の受信装置の概略構成を示す。
同図において、符号１０で示す自動車等の移動体には、テレビ受像機やラジオ受信機等の受信再生装置１１と、ダイバーシティーに代表される複数のアンテナを選択するアンテナ選択機（またはアンテナ自体の方向を変更するアンテナローテータ）１２が搭載されている。
【０００４】
そして、移動体１０上の受信再生装置１１は、地上波放送局１３から送られている放送により、映像や音声を再生する。ここで、アンテナ選択機１２は、地上波放送局１３から送られてくる電波強度やＣ／Ｎ、Ｓ／Ｎ、デジタル放送の場合は、さらにデータエラーレート等の情報から、最良と判断したアンテナに切り換え、受信再生装置１１に受信信号を送ることになる。
なお、アンテナローテータ（１２）を用いた別の方法では、アンテナローテータ（１２）により同様の情報を判定することで、最良の方向にアンテナを向け、受信再生装置１１に受信信号を送ることにより、最良の受信が可能となるようになっている。
【０００５】
【特許文献１】
特開２００３−８４８４号公報
【０００６】
【発明が解決しようとする課題】
ところで、上述したテレビ受像機やラジオ受信機等で受信する地上波放送は、ビデオ・オン・デマンドサービスを除くと、１回限りの放送である。しかも、たとえばドライブ中は、テレビやラジオの到達電波が常に変動するため、中途半端に見えたり見えなかったりすることがある。このため、視聴している放送番組のクライマックスを見逃したり、よいシーンが見えなかったりしがちである。
これまでは、前述したようにダイバシティアンテナやローテータにより到達電波を良好にすることで、問題を軽減しているが、根本的な解決には結びつかない。
【０００７】
また、このようなテレビ放送やラジオ放送の見逃し、聞き逃しは、上述した電波状況による場合のほか、視聴者側の理由、たとえば電話がかかってきたとき、あるいは自動車のバック走行等といった運転操作を優先する必要があるとき、あるいは自動車を一旦降車する必要があるとき、等の場合にも生じる。
【０００８】
本発明はこのような事情に鑑みてなされたものであり、自動車等の移動体に搭載したテレビ受像機やラジオ受信機において、移動体の移動により映像や音声が著しく低下した瞬間、あるいは一時的に視聴できない状況に至ったときの映像や音声を瞬時に復旧し、ほとんどリアルタイムで視聴することが可能となる移動体向けの地上波放送の放送受信装置を得ることを目的とする。
【０００９】
【課題を解決するための手段】
このような目的に応えるために本発明（請求項１記載の発明）に係る放送受信装置は、放送信号を受信する受信手段と、地上波サーバとの通信を行う通信手段と、取得したデータを記憶する記憶手段を備えた放送受信装置であって、前記受信手段による地上波放送信号を正常に視聴できない状態（たとえば受信手段による受信状態の悪化や、携帯電話の使用、車両の走行中、バック走行時、あるいは駐停車動作時等のような一時的に視聴できない状況に至ったときを含む）を検出した場合に、該受信手段により正常に視聴できない期間のデータを前記地上波サーバからダウンロードして前記記憶手段に記憶させる記録制御手段と、前記記憶手段から読み出したデータを再生する再生手段とを備えたことを特徴とする。
【００１０】
本発明（請求項２記載の発明）に係る放送受信装置は、請求項１記載の放送受信装置において、前記受信手段による放送信号の正常な視聴ができない状態にある場合に、所定時間毎に地上波サーバに必要なデータを要求するように構成されていることを特徴とする。
【００１１】
本発明（請求項３記載の発明）に係る放送受信装置は、請求項１記載の放送受信装置において、前記受信手段による放送信号の正常な視聴ができなくなった後、前記記憶手段に連続する所定量のデータが記憶されたときに、前記再生手段により再生を開始するように構成されていることを特徴とする。
【００１２】
本発明（請求項４記載の発明）に係る放送受信装置は、請求項１記載の放送受信装置において、前記受信手段による放送信号の正常な視聴ができる状態になった場合に、前記再生手段により前記記憶手段に記憶されたデータの再生を開始するように構成されていることを特徴とする。
【００１３】
本発明（請求項５記載の発明）に係る放送受信装置は、請求項１ないし請求項４のいずれか１項に記載の放送受信装置において、前記受信手段による放送信号を正常に視聴できない状態とは、前記受信手段による受信状態の悪化であることを特徴する。
【００１４】
本発明（請求項６記載の発明）に係る放送受信装置は、請求項１ないし請求項４のいずれか１項に記載の放送受信装置において、前記受信手段による放送信号を正常に視聴できない状態には、携帯電話の使用が含まれることを特徴とする。
【００１５】
本発明（請求項７記載の発明）に係る放送受信装置は、請求項１ないし請求項４のいずれか１項に記載の放送受信装置において、前記受信手段による放送信号を正常に視聴できない状態には、車両の走行である場合が含まれることを特徴する。
【００１６】
本発明によれば、地上波放送を受信する地上波サーバを設置し、移動体側の受信装置が受信できなかった映像データや音声データのみを、移動体側において一般回線網を用いて地上波サーバからダウンロードすることにより、放送番組の視聴をほぼリアルタイムで行える。
【００１７】
【発明の実施の形態】
図１は本発明に係る放送受信装置の一実施の形態を示すものであり、図において、前述した図４と同一または相当する部分には同一番号を付す。
【００１８】
図において、移動体１０は、テレビ受像機やラジオ受信機等の受信再生装置１１と、ダイバシティに代表される複数のアンテナを選択するアンテナ選択機（またはアンテナ自体の方向を変更するアンテナローテータ）１２と、受信装置１４と、受信レコーダ１５と、入力装置１６と、通信装置１７とによって構成されている。
【００１９】
そして、本発明では、地上波放送局１３から送られてくる地上波放送の電波を安定して受信できるところに、固定基地として地上波サーバ１９を設けている。この地上波サーバ１９は、受信装置２０と、地上波レコーダ２１と、制御装置２２、通信装置２３とで構成されている。
【００２０】
さらに、移動体１０上の通信装置１７と地上波サーバ１９上の通信装置２３は、ＤＳＲＣ通信装置や無線ＬＡＮ装置、あるは携帯情報端末やＰＨＳ端末のことで、通信網１８により、相互にデータ通信可能に構成されている。
【００２１】
このような構成において、移動体１０上の受信再生装置１１は、地上波放送局１３から送られてくる放送信号により、映像や音声を再生する。
このとき、アンテナ選択装置１２は、地上波放送局１３から送られてくる電波の強度や、Ｃ／Ｎ、Ｓ／Ｎ、デジタル放送の場合は更にデータエラーレート等の情報から、最良と判断したアンテナに切り換え、受信装置１４に受信信号と選択されたアンテナの電波の強度や、Ｃ／Ｎ、Ｓ／Ｎ、デジタル放送の場合は更にデータエラーレート等の情報を送る。
【００２２】
ここで、アンテナローテータ１２による方法では、該アンテナローテータ１２により同様の判定をすることで、最良の方向にアンテナを向け、受信装置１４に受信信号と、選択されたアンテナの電波強度や、Ｃ／Ｎ、Ｓ／Ｎ、デジタル放送の場合は更にデータエラーレート等の情報を送るようになっている。
【００２３】
前記受信装置１４は、電波の強度や、Ｃ／Ｎ、Ｓ／Ｎ、デジタル放送の場合は更にデータエラーレート等の情報から、現在の受信波によって再生できるかの判断をする。ここで、映像波（画像と音声がある放送）の場合に画像が再生できない場合には、再生不可と判定する。また、再生できると判定された場合は、受信レコーダ１５に再生フレームと、そのフレーム情報もしくは時刻情報を記録する。
【００２４】
この情報は、たとえば文字放送など、地上波放送の信号とともに重畳されて送られてくる情報で、現在の受信フレーム情報を認知することができる情報である。再生できないと判定した場合には、一定期間毎に通信装置１７を介して地上波サーバ１９に対し、再生できない部分の放送をダウンロード要求する。ここでも再生できない部分の要求に、受信フレーム情報もしくは時刻情報を用いる。
また、受信装置１４は、地上波サーバ１９から通信装置１７を介して送られてきた放送データを受信レコーダ１５に送るようになっている。
【００２５】
受信レコーダ１５は、ＨＤＤ（ハードディスク）等のランダムアクセスが可能な記録媒体を持ち、放送の記録と再生を並行して行うことができる。また、上記の受信フレーム情報もしくは時刻情報を併せて記録することで、記録媒体のデータが連続しているか否かを判断することができる。放送データが連続して再生できる場合、受信再生装置１１に放送データを送る。また、放送データが連続していない場合には、データが連続するまで待つ。
【００２６】
入力装置１６は、ユーザ操作や車載ハンズフリー装置、自動車のリバースギア情報などを感知し、再生の一時停止または再生開始を受信レコーダ１５に要求することができる。この入力装置１６から再生停止信号を受けた受信レコーダ１５は、再生を一時的に停止、あるいは再生開始を行う。
【００２７】
地上波サーバ１９は、テレマティクスセンタや放送局、あるいは個人サーバなどに設置されるものであり、移動体１０からの放送データの要求に対して、放送データを送る。この地上波サーバ１９上の機器は、テレビやラジオ等の受信装置２０、地上波レコーダ２１、制御装置２２、通信装置２３等で構成されている。そして、この通信装置２３を介して、移動体１０から制御装置２２に放送ダウンロードの要求がくると、制御装置２２は、地上波レコーダ２１から該当する放送データを検索し、その要求されたデータを移動体１０に送るように構成されている。ここで、検索キーとして、上記の受信フレーム情報、あるいは時刻情報を用いる。
【００２８】
ここで、上記の地上波レコーダ２１は、受信装置２０によって受信可能な全ての放送について、現在よりも一定時間前の放送を記録しておく。
一方、移動体１０側の通信装置１７を介して送られてくるダウンロード要求は、移動体１０の受信レコーダ１５に記録されていないデータのみについて行われ、その差分データのみが移動体１０側に送られるようになっている。したがって、移動体１０と地上波サーバ１９との間での通信網１８を介しての通信量は必要最小限でよい。
【００２９】
図２は移動体１０の受信装置１４での制御動作を示すフローチャートであり、これを順をおって以下に説明する。
まず、ステップ（以下、単に「Ｓ」を付す）Ｓ１０１においては、通信装置１７に要求したダウンロードデータ（放送データ）があるか否かを判断し、ない場合にはＳ１０３に進み、ある場合にはＳ１０２で受信レコーダ１５の記録媒体にダウンロードしたデータ（再生フレーム）を記録した後、Ｓ１０３に進む。
【００３０】
このＳ１０３では、タイマで１０秒の経過が確認されると、Ｓ１０４に進み、１０秒タイマをリセットしたのち、Ｓ１０５で通信装置１７を介して、地上波サーバ１９に対して、この１０秒間に受信できなかった再生フレームを要求フレームの指定として欠落フレームまたは受信不可能時刻を指定して要求する。
すなわち、Ｓ１０３で１０秒の経過が確認される毎に、この１０秒間に受信できなかったフレームを地上波サーバ１９側に要求するのである。
なお、この１０秒間とは単なる例示であって、適宜変更可能であることは言うまでもない。
【００３１】
Ｓ１０３で１０秒が経過していないと判断されたときは、Ｓ１０６に進み、アンテナおよびアンテナ選択装置を介して再生フレームを順次受信する。上記のＳ１０５での欠落フレームの要求が行われた場合も、このＳ１０６に進む。
Ｓ１０７、Ｓ１０８では、再生フレームと同時にアンテナ選択装置を介して得られた電波強度、Ｃ／Ｎ、Ｓ／Ｎから、受信フレームが再生可能であるか（デジタル放送の場合はこれに併せてデータエラーレートから受信フレームが再生可能であるか否かを）を判断し、再生可能フレームであれば、Ｓ１１０に進んで受信レコーダ１５の記録媒体に再生フレームを記録した後、Ｓ１１１に進み、記録したフレーム、または受信時刻を受信レコーダ１５に記録してからＳ１０１に戻る。また、再生可能フレームでないときは、Ｓ１０９において再生不可フレーム情報または再生不可時刻を記憶してから、Ｓ１０１に戻る。
【００３２】
図３は移動体１０における受信レコーダ１５での制御動作を示すフローチャートであり、これを順をおって以下に説明する。
まず、Ｓ２０１では、入力装置１６からの停止信号がないことを確認してからＳ２０２に進む。もし、停止信号があれば、Ｓ２０１のステップを繰り返す。
【００３３】
Ｓ２０２では、記録媒体に記録したフレーム情報を元に最古の再生フレームの読み出しを行う。そして、Ｓ２０３において、再生フレームがあることが確認されると、Ｓ２０４において、受信再生装置１１に再生フレームを送り、放送番組を再生してからＳ２０５において、送った再生フレームを削除した後、Ｓ２０１に戻る。
【００３４】
Ｓ２０３で再生フレームがないと判断されると、Ｓ２０６、Ｓ２０７に進み、記録媒体に記録したフレーム情報を元に次フレームから連続３０秒分の再生フレームがあるかどうかを確認し、ないと判断されると、このＳ２０６、Ｓ２０７を繰り返す。
一方、３０秒間の再生フレームがあると判断されると、Ｓ２０１に戻り、以後動作を繰り返す。
なお、ここでの３０秒間も、単なる例示であって、適宜変更可能である。
【００３５】
以上の説明から明らかなように、フレームに欠落があると、その時点で再生処理を一時中断し、アンテナを介して受信した地上波放送局１３からのデータを受信レコーダ１５に記録開始するとともに、受信できなかったフレームのデータ送信を地上波サーバ１９に要求し、地上波サーバから送られてくるデータも受信レコーダ１５に記憶する。すなわち、本発明では、地上波放送局１３から受信できないデータのみをサーバ１９からダウンロードするようにしているから、再生中断中に受信できた地上波放送局１３からのデータは、その後の再生に利用するためにその場では再生せずに受信レコーダ１５に記録することになる。
【００３６】
上述した放送受信装置において、視聴者、たとえば移動体１０の運転者側で電話がかかってきたりしたときには、入力装置１６への手動入力によって、受信再生装置１１での再生を停止し、受信レコーダ１５の記録媒体への記録動作とし、上記の事由が解消したときに再び再生することができることは言うまでもない。ここで、受信データに欠落フレームが生じたときは、上記と同様のダウンロード要求が行われ、地上波サーバ１９からの補完が行われる。
【００３７】
なお、本発明は上述した実施の形態で説明した構造には限定されず、放送受信装置を構成する各部の形状、構造等を適宜変形、変更し得ることはいうまでもない。
【００３８】
【発明の効果】
以上説明したように本発明に係る放送受信装置によれば、自動車等の移動体に搭載したテレビ受像機やラジオ受信機において、移動体の移動により映像や音声が著しく低下した瞬間、あるいは一時的に視聴できない状況に至ったときの映像や音声を、瞬時に回復し、ほとんどリアルタイムで視聴することができる。したがって、見たい番組や聞きたい番組を見逃したり聞き逃したりすることがなくなる。
【００３９】
さらに本発明によれば、地上波サーバには、移動体側で受信できなかった欠落データのみを要求し、差分のみをダウンロードしているので、全体の通信量は最小限でよく、効率のよいシステム構成とすることができる。
【００４０】
また、本発明によれば、入力装置への手動入力によって、視聴者側での理由によって再生を一時的に停止できることから、番組の見逃しなどがなくなる。
【図面の簡単な説明】
【図１】本発明に係る放送受信装置の一実施の形態を示す概略構成のブロック図である。
【図２】本発明に係る放送受信装置において、受信装置においての動作を説明するためのフローチャートである。
【図３】本発明に係る放送受信装置において、受信レコーダにおいての動作を説明するためのフローチャートである。
【図４】従来の放送受信装置を示す概略構成のブロック図である。
【符号の説明】
１０…移動体
１１…受信再生装置（再生手段）
１２…アンテナ選択機（受信手段）
１３…地上波放送局
１４…受信装置（記憶制御手段）
１５…受信レコーダ（記憶手段）
１６…入力装置
１７…通信装置（通信手段）
１８…通信網
１９…地上波サーバ
２０…受信装置
２１…地上波レコーダ
２２…制御装置
２３…通信装置
【図１】
2004304498.tif 000003
【図２】
2004304498.tif 000004
【図３】
2004304498.tif 000005
【図４】
2004304498.tif 000006